(57)【特許請求の範囲】
【請求項１】
第一方向へ延びる第一部分と、
前記第一方向へ延び、前記第一方向に直交する第二方向の一方側で前記第一部分に対向して配置される第二部分と、
前記第二方向へ延び、前記第二方向の両側が、前記第一部分の前記第一方向一方側と前記第二部分の前記第一方向一方側との夫々に連続する第三部分と
を備える装着具と、
画像を表示する画像表示装置と、
一端部が前記装着具に連結され、且つ他端部が前記画像表示装置に連結されるアーム部と、
前記画像表示装置から引き出され、前記画像表示装置と外部機器とを電気的に接続するケーブルと、
少なくとも前記第一部分および前記第二部分の一方に溝状に形成され、前記ケーブルを溝内に保持可能な保持部であって、前記装着具の部位のうち、前記第一方向における所定の第一位置から、前記第一位置よりも前記第一方向他方側の第二位置までの部位に設けられ、前記装着具の形状に沿って連続または断続的に延びる保持部と
を備え、
更に、
前記装着具は、前記保持部の部位のうち少なくとも前記第一位置と前記第二位置との間に形成された部位の開口部を、少なくとも前記第一方向および前記第二方向に直交する第三方向の一方側に有し、
且つ、
前記装着具と前記アーム部の前記一端部とを連結し、少なくとも前記第三方向において前記アーム部の前記他端部を前記一端部に対して一方側の位置と他方側の位置とに配置可能な連結機構を更に備え、
前記保持部は、前記第一位置と前記第二位置との間の部位に形成され、前記第三方向の一方側に前記開口部を有する第一保持部と、前記第一位置と前記第二位置との間の部位に形成され、前記第三方向の他方側に前記開口部を有する第二保持部とを含むこと
を特徴とするヘッドマウントディスプレイ。
【請求項２】
第一方向へ延びる第一部分と、
前記第一方向へ延び、前記第一方向に直交する第二方向の一方側で前記第一部分に対向して配置される第二部分と、
前記第二方向へ延び、前記第二方向の両側が、前記第一部分の前記第一方向一方側と前記第二部分の前記第一方向一方側との夫々に連続する第三部分と
を備える装着具と、
画像を表示する画像表示装置と、
一端部が前記装着具に連結され、且つ他端部が前記画像表示装置に連結されるアーム部と、
前記画像表示装置から引き出され、前記画像表示装置と外部機器とを電気的に接続するケーブルと、
少なくとも前記第一部分および前記第二部分の一方に溝状に形成され、前記ケーブルを溝内に保持可能な保持部であって、前記装着具の部位のうち、前記第一方向における所定の第一位置から、前記第一位置よりも前記第一方向他方側の第二位置までの部位に設けられ、前記装着具の形状に沿って連続または断続的に延びる保持部と
を備え、
更に、
前記装着具は、前記保持部の部位のうち少なくとも前記第一位置と前記第二位置との間に形成された部位において、前記保持部の一対の側壁部のうち少なくとも一方の側壁部から他方の側壁部へ向けて突出する第二突出部を備え、
且つ、
前記第二突出部は、前記保持部の溝底部に前記ケーブルが当接した状態で、前記溝底部から前記保持部の深さ方向へ前記ケーブルの断面半径以上に離間した位置において、少なくとも先端部が前記ケーブルに当接すること
を特徴とするヘッドマウントディスプレイ。
【請求項３】
前記保持部は、前記第一位置から、前記装着具の前記第一方向他方側の端部に位置する前記第二位置まで延びることを特徴とする請求項１または２に記載のヘッドマウントディスプレイ。
【請求項４】
前記装着具は、前記第二位置に、前記保持部の溝幅方向における少なくとも一方の端部側から前記溝幅方向の中央へ向けて突出する１以上の第一突出部を備えたことを特徴とする請求項３に記載のヘッドマウントディスプレイ。
【請求項５】
前記保持部は、前記装着具に前記アーム部が連結される接続位置よりも前記第一方向他方側に位置する前記第一位置から、前記第二位置まで延びることを特徴とする請求項１から４のいずれかに記載のヘッドマウントディスプレイ。
【請求項６】
前記アーム部は、前記保持部に前記ケーブルを保持しない状態における前記ヘッドマウントディスプレイの重心の位置よりも、前記第一方向一方側に位置する前記接続位置において、前記装着具に連結され、
前記保持部は、前記重心の位置よりも前記第一方向他方側に位置する前記第一位置から、前記第二位置まで延びることを特徴とする請求項５に記載のヘッドマウントディスプレイ。
【請求項７】
前記保持部は、前記第一部分および前記第二部分のうち少なくとも一方に形成されたことを特徴とする請求項１から６のいずれかに記載のヘッドマウントディスプレイ。
【請求項８】
前記装着具は、前記第二方向の中央の位置よりも一方側の位置と他方側の位置の夫々に、前記アーム部を連結可能な一対の連結部を有し、
前記保持部は、前記第一部分と前記第二部分との夫々に形成されたことを特徴とする請求項１から７のいずれかに記載のヘッドマウントディスプレイ。
【請求項９】
前記保持部は、溝の深さが前記ケーブルの外径よりも大きいことを特徴とする請求項１から８のいずれかに記載のヘッドマウントディスプレイ。
【請求項１０】
前記装着具は、少なくとも一部が、前記第一部分、前記第二部分および前記第三部分によって取り囲まれる領域の外側へ向けて凸状に湾曲することを特徴とする請求項１から９のいずれかに記載のヘッドマウントディスプレイ。
【請求項１１】
ヘッドマウントディスプレイの装着具であって、
第一方向へ延びる第一部分と、
前記第一方向へ延び、前記第一方向に直交する第二方向の一方側で前記第一部分に対向して配置される第二部分と、
前記第二方向へ延び、前記第二方向の両側が、前記第一部分の前記第一方向一方側と前記第二部分の前記第一方向一方側との夫々に連続する第三部分と、
少なくとも前記第一部分および前記第二部分の一方に溝状に形成され、前記ヘッドマウントディスプレイの画像表示装置からのケーブルを溝内に保持可能な保持部であって、前記装着具の部位のうち、前記第一方向における所定の第一位置から、前記第一位置よりも前記第一方向他方側の第二位置までの部位に設けられ、前記装着具の形状に沿って連続または断続的に延びる保持部と
を備え、
更に、
前記装着具は、前記保持部の部位のうち少なくとも前記第一位置と前記第二位置との間に形成された部位の開口部を、少なくとも前記第一方向および前記第二方向に直交する第三方向の一方側に有し、
且つ、
他端部が前記画像表示装置に連結されるアーム部の一端部と前記装着具とを連結し、少なくとも前記第三方向において前記アーム部の前記他端部を前記一端部に対して一方側の位置と他方側の位置とに配置可能な連結機構を更に備え、
前記保持部は、前記第一位置と前記第二位置との間の部位に形成され、前記第三方向の一方側に前記開口部を有する第一保持部と、前記第一位置と前記第二位置との間の部位に形成され、前記第三方向の他方側に前記開口部を有する第二保持部とを含むこと
を特徴とする装着具。
【請求項１２】
ヘッドマウントディスプレイの装着具であって、
第一方向へ延びる第一部分と、
前記第一方向へ延び、前記第一方向に直交する第二方向の一方側で前記第一部分に対向して配置される第二部分と、
前記第二方向へ延び、前記第二方向の両側が、前記第一部分の前記第一方向一方側と前記第二部分の前記第一方向一方側との夫々に連続する第三部分と、
少なくとも前記第一部分および前記第二部分の一方に溝状に形成され、前記ヘッドマウントディスプレイの画像表示装置からのケーブルを溝内に保持可能な保持部であって、前記装着具の部位のうち、前記第一方向における所定の第一位置から、前記第一位置よりも前記第一方向他方側の第二位置までの部位に設けられ、前記装着具の形状に沿って連続または断続的に延びる保持部と
を備え、
更に、
前記装着具は、前記保持部の部位のうち少なくとも前記第一位置と前記第二位置との間に形成された部位において、前記保持部の一対の側壁部のうち少なくとも一方の側壁部から他方の側壁部へ向けて突出する第二突出部を備え、
且つ、
前記第二突出部は、前記保持部の溝底部に前記ケーブルが当接した状態で、前記溝底部から前記保持部の深さ方向へ前記ケーブルの断面半径以上に離間した位置において、少なくとも先端部が前記ケーブルに当接すること
を特徴とする装着具。
【発明の詳細な説明】
【技術分野】
【０００１】
本発明は、画像表示装置を頭部に装着するヘッドマウントディスプレイと、そのヘッドマウントディスプレイに用いられる装着具に関する。
【背景技術】
【０００２】
画像表示装置を取り付けた装着具を使用者の頭部に装着し、使用者の眼に画像を提示するヘッドマウントディスプレイ（以下、「ＨＭＤ」という。）が知られている。画像表示装置と外部機器とを電気的に接続するケーブルは、画像表示装置から引き出され、装着具を伝わせて配線される。特許文献１に記載のＨＭＤの画像表示装置は、ヘッドバンド状の装着具に取り付けられる。装着具の頭部装着時に画像表示装置は使用者の眼前に配置される。画像表示装置から引き出されたケーブルは、装着具にクリップ留めされる。ケーブルは装着具を伝って使用者の後頭部側に配線される。特許文献２に記載のＨＭＤの画像表示装置は、眼鏡フレーム状の装着具のレンズ部分に取り付けられる。装着具の頭部装着時に画像表示装置は使用者の眼前に配置される。画像表示装置から引き出されたケーブルは、装着具の内部で配線される。ケーブルはテンプル部分の後端部から装着具の外部へ取り出される。
【先行技術文献】
【特許文献】
【０００３】
【特許文献１】特開２００８−２５８７８４号公報
【特許文献２】特開２０１２−１６３６４０号公報
【発明の概要】
【発明が解決しようとする課題】
【０００４】
しかしながら、画像表示装置を装着具から取り外す場合、特許文献２では、装着具の筐体カバーを取り外してケーブルを筐体内から取り出す必要があり、作業が煩雑である。特許文献１ではクリップ留めしたケーブルを装着具から取り外すだけなので、画像表示装置を装着具から取り外す作業は容易である。しかし、装着具にクリップ留めする箇所が一カ所であるので、ケーブルは、装着具との間に間隙を生じやすい。このためケーブルは、ＨＭＤの着脱時や使用時にユーザの髪や耳等の頭部、およびユーザが眼鏡をしている場合はそのテンプル等に引っ掛かったり巻き込まれたりして、装着具から外れる可能性があった。
【０００５】
本発明は、画像表示装置から引き出されたケーブルを取り外し可能に保持し、且つケーブルを装着具から外れにくくすることができる装着具を備えたヘッドマウントディスプレイと、そのヘッドマウントディスプレイに用いる装着具とを提供することを目的とする。
【課題を解決するための手段】
【０００６】
本発明の第一態様によれば、第一方向へ延びる第一部分と、前記第一方向へ延び、前記第一方向に直交する第二方向の一方側で前記第一部分に対向して配置される第二部分と、前記第二方向へ延び、前記第二方向の両側が、前記第一部分の前記第一方向一方側と前記第二部分の前記第一方向一方側との夫々に連続する第三部分とを備える装着具と、画像を表示する画像表示装置と、一端部が前記装着具に連結され、且つ他端部が前記画像表示装置に連結されるアーム部と、前記画像表示装置から引き出され、前記画像表示装置と外部機器とを電気的に接続するケーブルと、少なくとも前記第一部分および前記第二部分の一方に溝状に形成され、前記ケーブルを溝内に保持可能な保持部であって、前記装着具の部位のうち、前記第一方向における所定の第一位置から、前記第一位置よりも前記第一方向他方側の第二位置までの部位に設けられ、前記装着具の形状に沿って連続または断続的に延びる保持部とを備え、更に、前記装着具は、前記保持部の部位のうち少なくとも前記第一位置と前記第二位置との間に形成された部位の開口部を、少なくとも前記第一方向および前記第二方向に直交する第三方向の一方側に有し、且つ、前記装着具と前記アーム部の前記一端部とを連結し、少なくとも前記第三方向において前記アーム部の前記他端部を前記一端部に対して一方側の位置と他方側の位置とに配置可能な連結機構を更に備え、前記保持部は、前記第一位置と前記第二位置との間の部位に形成され、前記第三方向の一方側に前記開口部を有する第一保持部と、前記第一位置と前記第二位置との間の部位に形成され、前記第三方向の他方側に前記開口部を有する第二保持部とを含むことを特徴とするヘッドマウントディスプレイが提供される。
第一態様に係るヘッドマウントディスプレイ（ＨＭＤ）は、例えば、第二方向を左右方向へ向け、第一方向の一方側を前側にして使用者の頭部に装着される。画像表示装置から引き出されたケーブルは、第一位置から後頭部側の第二位置まで装着具の保持部に保持されるため、装着具との間隙が低減される。故にケーブルは、ＨＭＤの着脱時や使用時に引っ掛けられたり巻き込まれたりしにくく、装着具から外れにくい。一方で、装着具から画像表示装置とアーム部を取り外す場合は、ケーブルを溝から引き出すだけで簡単にケーブルを装着具から取り外すことができるので、作業が容易である。
ＨＭＤが第三方向の一方側を上側にして頭部に装着された場合に、ケーブルは、保持部内に開口部を上にして保持される。故に、ＨＭＤは、ケーブルが重力によって保持部から外れてしまうことを防止することができる。
ＨＭＤは、アーム部を第三方向に反転させることができる。装着具を第三方向に反転して装着すれば、ＨＭＤは、画像表示装置を第二方向一方側から他方側に配置替えさせることができる。この場合に、ケーブルを保持する保持部を第一保持部から第二保持部に変更すれば、ＨＭＤは、ケーブルが重力によって保持部から外れてしまうことを防止することができる。
【０００７】
本発明の第二態様によれば、第一方向へ延びる第一部分と、前記第一方向へ延び、前記第一方向に直交する第二方向の一方側で前記第一部分に対向して配置される第二部分と、前記第二方向へ延び、前記第二方向の両側が、前記第一部分の前記第一方向一方側と前記第二部分の前記第一方向一方側との夫々に連続する第三部分とを備える装着具と、画像を表示する画像表示装置と、一端部が前記装着具に連結され、且つ他端部が前記画像表示装置に連結されるアーム部と、前記画像表示装置から引き出され、前記画像表示装置と外部機器とを電気的に接続するケーブルと、少なくとも前記第一部分および前記第二部分の一方に溝状に形成され、前記ケーブルを溝内に保持可能な保持部であって、前記装着具の部位のうち、前記第一方向における所定の第一位置から、前記第一位置よりも前記第一方向他方側の第二位置までの部位に設けられ、前記装着具の形状に沿って連続または断続的に延びる保持部とを備え、更に、前記装着具は、前記保持部の部位のうち少なくとも前記第一位置と前記第二位置との間に形成された部位において、前記保持部の一対の側壁部のうち少なくとも一方の側壁部から他方の側壁部へ向けて突出する第二突出部を備え、且つ、前記第二突出部は、前記保持部の溝底部に前記ケーブルが当接した状態で、前記溝底部から前記保持部の深さ方向へ前記ケーブルの断面半径以上に離間した位置において、少なくとも先端部が前記ケーブルに当接することを特徴とするヘッドマウントディスプレイが提供される。
第二態様に係るヘッドマウントディスプレイ（ＨＭＤ）は、例えば、第二方向を左右方向へ向け、第一方向の一方側を前側にして使用者の頭部に装着される。画像表示装置から引き出されたケーブルは、第一位置から後頭部側の第二位置まで装着具の保持部に保持されるため、装着具との間隙が低減される。故にケーブルは、ＨＭＤの着脱時や使用時に引っ掛けられたり巻き込まれたりしにくく、装着具から外れにくい。一方で、装着具から画像表示装置とアーム部を取り外す場合は、ケーブルを溝から引き出すだけで簡単にケーブルを装着具から取り外すことができるので、作業が容易である。
第二突出部は、ケーブルを保持部内で押さえることができる。故にケーブルは装着具から外れにくい。
第二突出部が溝の開口部近くに設けてあり、ケーブルを保持部内に保持した場合にケーブルが第二突出部に接触しない場合がある。この場合、ケーブルは、振動等によって溝内で動くたびに第二突出部に当接し、被覆部が摩耗する可能性がある。本態様の第二突出部は、溝底部にケーブルが当接した状態でケーブルに当接した状態を維持できるので、ケーブルの摩耗を防止し、且つケーブルが保持部から外れることを防止することができる。
【０００８】
第一態様または第二態様において、前記保持部は、前記第一位置から、前記装着具の前記第一方向他方側の端部に位置する前記第二位置まで延びてもよい。保持部が装着具の第一方向他方側の端部まで延びるので、保持部に保持させたケーブルは、ＨＭＤの着脱時や使用時に引っ掛けられたり巻き込まれたりしにくく、装着具から外れにくい。
【０００９】
第一態様または第二態様において、前記装着具は、前記第二位置に、前記保持部の溝幅方向における少なくとも一方の端部側から前記溝幅方向の中央へ向けて突出する１以上の第一突出部を備えてもよい。装着具は、第一方向他方側の端部において、ケーブルを第一突出部で保持部内に押さえることができる。故にケーブルは装着具から外れにくい。また、第一突出部は、ケーブルが保持部から取り出される位置でケーブルを押さえることによって、ＨＭＤの装着時に、ケーブルの取り出された部分が装着具の下方へ向かうように案内することができる。
【００１０】
第一態様または第二態様において、前記保持部は、前記装着具に前記アーム部が連結される接続位置よりも前記第一方向他方側に位置する前記第一位置から、前記第二位置まで延びてもよい。第一位置がアーム部の取り付け位置よりも前側に位置する場合、アーム部を伝うケーブルは、取り付け位置から一旦前側へ向けて延び、後側へ折り返して第一位置から保持部に保持され、装着具の後側へ向かう経路で配線される。この場合、ケーブルは、折り返し部分において、装着具との間に間隙が生じる可能性がある。この間隙が、使用者の髪や耳等の頭部、およびユーザが眼鏡をしている場合はそのテンプル等に引っ掛かったり巻き込まれたりして、ケーブルが装着具から外れる可能性がある。第一位置がアーム部の取り付け位置よりも後側に位置すれば、アーム部を伝うケーブルは、取り付け位置から後側へ延び、そのまま第一位置から保持部に保持され、装着具の後側へ向かう経路で配線される。故に、ケーブルが装着具から外れる可能性を低減することができる。
【００１１】
第一態様または第二態様において、前記アーム部は、前記保持部に前記ケーブルを保持しない状態における前記ヘッドマウントディスプレイの重心の位置よりも、前記第一方向一方側に位置する前記接続位置において、前記装着具に連結されてもよい。前記保持部は、前記重心の位置よりも前記第一方向他方側に位置する前記第一位置から、前記第二位置まで延びてもよい。アーム部が連結される装着具の位置には、画像表示装置とアーム部の重みが掛かる。アーム部の連結位置は保持部よりも第一方向一方側にあり、ＨＭＤには、画像表示装置とアーム部の重みによって、重心の位置よりも前側を下向きに回転させるモーメントが作用する。保持部にケーブルを保持させた場合、ケーブルの重みが重心の位置よりもＨＭＤの第一方向他方側の部分に掛かるため、ＨＭＤの第一方向他方側を下向きに回転させるモーメントが大きくなる。故に、画像表示装置とアーム部の重みによってＨＭＤに作用するモーメントは、軽減される。従ってＨＭＤは重量バランスを改善でき、画像表示装置およびアーム部が自重で額からずり落ちることを抑制することができる。
【００１２】
第一態様または第二態様において、前記保持部は、前記第一部分および前記第二部分のうち少なくとも一方に形成されてもよい。保持部が開環状の装着具の環内側に形成されているので、保持部に保持されるケーブルは、装着具の外側から引っ掛けられにくく、装着具から外れにくい。
【００１３】
第一態様または第二態様において、前記装着具は、前記第二方向の中央の位置よりも一方側の位置と他方側の位置の夫々に、前記アーム部を連結可能な一対の連結部を有してもよい。前記保持部は、前記第一部分と前記第二部分との夫々に形成されてもよい。アーム部の連結先を装着具の第二方向一方側の連結部から他方側の連結部に変更した場合に、変更後の連結部に近い保持部にケーブルを保持させることができる。
【００１４】
【００１５】
【００１６】
第一態様または第二態様において、前記保持部は、溝の深さが前記ケーブルの外径よりも大きくてもよい。ケーブルは、保持部に保持された状態で保持部から露出しないので、ＨＭＤの着脱時や使用時に引っ掛けられたり巻き込まれたりしにくく、装着具から外れにくい。
【００１７】
【００１８】
【００１９】
第一態様または第二態様において、前記装着具は、少なくとも一部が、前記第一部分、前記第二部分および前記第三部分によって取り囲まれる領域の外側へ向けて凸状に湾曲してもよい。ケーブルの保持部内に保持されない部分が、装着具と頭部との間に配置される場合がある。装着具は、少なくとも一部が湾曲することによって、頭部の湾曲形状に沿い、装着具と頭部との間隙を小さくできる。故にケーブルは、装着具と頭部との間隙内で、使用時に引っ掛けられたり巻き込まれたりしにくく、装着具から外れにくい。
【００２０】
本発明の第三態様によれば、ヘッドマウントディスプレイの装着具であって、第一方向へ延びる第一部分と、前記第一方向へ延び、前記第一方向に直交する第二方向の一方側で前記第一部分に対向して配置される第二部分と、前記第二方向へ延び、前記第二方向の両側が、前記第一部分の前記第一方向一方側と前記第二部分の前記第一方向一方側との夫々に連続する第三部分と、少なくとも前記第一部分および前記第二部分の一方に溝状に形成され、前記ヘッドマウントディスプレイの画像表示装置からのケーブルを溝内に保持可能な保持部であって、前記装着具の部位のうち、前記第一方向における所定の第一位置から、前記第一位置よりも前記第一方向他方側の第二位置までの部位に設けられ、前記装着具の形状に沿って連続または断続的に延びる保持部とを備え、更に、前記装着具は、前記保持部の部位のうち少なくとも前記第一位置と前記第二位置との間に形成された部位の開口部を、少なくとも前記第一方向および前記第二方向に直交する第三方向の一方側に有し、且つ、他端部が前記画像表示装置に連結されるアーム部の一端部と前記装着具とを連結し、少なくとも前記第三方向において前記アーム部の前記他端部を前記一端部に対して一方側の位置と他方側の位置とに配置可能な連結機構を更に備え、前記保持部は、前記第一位置と前記第二位置との間の部位に形成され、前記第三方向の一方側に前記開口部を有する第一保持部と、前記第一位置と前記第二位置との間の部位に形成され、前記第三方向の他方側に前記開口部を有する第二保持部とを含むことを特徴とする装着具が提供される。
第三態様において、画像表示装置から引き出されたケーブルは、第一位置から後頭部側の第二位置まで装着具の保持部に保持されるため、装着具との間隙が低減される。故にケーブルは、ＨＭＤの着脱時や使用時に引っ掛けられたり巻き込まれたりしにくく、装着具から外れにくい。一方で、装着具から画像表示装置とアーム部を取り外す場合は、ケーブルを溝から引き出すだけで簡単にケーブルを装着具から取り外すことができるので、作業が容易である。
ＨＭＤが第三方向の一方側を上側にして頭部に装着された場合に、ケーブルは、保持部内に開口部を上にして保持される。故に、ＨＭＤは、ケーブルが重力によって保持部から外れてしまうことを防止することができる。
ＨＭＤは、アーム部を第三方向に反転させることができる。装着具を第三方向に反転して装着すれば、ＨＭＤは、画像表示装置を第二方向一方側から他方側に配置替えさせることができる。この場合に、ケーブルを保持する保持部を第一保持部から第二保持部に変更すれば、ＨＭＤは、ケーブルが重力によって保持部から外れてしまうことを防止することができる。
【００２１】
本発明の第四態様によれば、ヘッドマウントディスプレイの装着具であって、第一方向へ延びる第一部分と、前記第一方向へ延び、前記第一方向に直交する第二方向の一方側で前記第一部分に対向して配置される第二部分と、前記第二方向へ延び、前記第二方向の両側が、前記第一部分の前記第一方向一方側と前記第二部分の前記第一方向一方側との夫々に連続する第三部分と、少なくとも前記第一部分および前記第二部分の一方に溝状に形成され、前記ヘッドマウントディスプレイの画像表示装置からのケーブルを溝内に保持可能な保持部であって、前記装着具の部位のうち、前記第一方向における所定の第一位置から、前記第一位置よりも前記第一方向他方側の第二位置までの部位に設けられ、前記装着具の形状に沿って連続または断続的に延びる保持部とを備え、更に、前記装着具は、前記保持部の部位のうち少なくとも前記第一位置と前記第二位置との間に形成された部位において、前記保持部の一対の側壁部のうち少なくとも一方の側壁部から他方の側壁部へ向けて突出する第二突出部を備え、且つ、前記第二突出部は、前記保持部の溝底部に前記ケーブルが当接した状態で、前記溝底部から前記保持部の深さ方向へ前記ケーブルの断面半径以上に離間した位置において、少なくとも先端部が前記ケーブルに当接することを特徴とする装着具が提供される。
第四態様において、画像表示装置から引き出されたケーブルは、第一位置から後頭部側の第二位置まで装着具の保持部に保持されるため、装着具との間隙が低減される。故にケーブルは、ＨＭＤの着脱時や使用時に引っ掛けられたり巻き込まれたりしにくく、装着具から外れにくい。一方で、装着具から画像表示装置とアーム部を取り外す場合は、ケーブルを溝から引き出すだけで簡単にケーブルを装着具から取り外すことができるので、作業が容易である。
第二突出部は、ケーブルを保持部内で押さえることができる。故にケーブルは装着具から外れにくい。
第二突出部が溝の開口部近くに設けてあり、ケーブルを保持部内に保持した場合にケーブルが第二突出部に接触しない場合がある。この場合、ケーブルは、振動等によって溝内で動くたびに第二突出部に当接し、被覆部が摩耗する可能性がある。本態様の第二突出部は、溝底部にケーブルが当接した状態でケーブルに当接した状態を維持できるので、ケーブルの摩耗を防止し、且つケーブルが保持部から外れることを防止することができる。
【図面の簡単な説明】
【００２２】
【図１】ＨＭＤ１を正面下方から見た斜視図である。
【図２】ＨＭＤ１の平面図である。
【図３】ＨＭＤ１の左側面図である。
【図４】図２の一点鎖線Ａ−Ａにおいて矢視方向に見た装着具５の断面図である。
【図５】画像表示部３を背面右上方から見た斜視図である。
【図６】画像表示ユニット２を正面上方から見た斜視図である。
【図７】画像表示ユニット２を正面左下方から見た斜視図である。
【図８】保持部６９にケーブル３９を保持したＨＭＤ１を背面左上方から見た斜視図である。
【発明を実施するための形態】
【００２３】
以下、本発明の一実施形態について、図面を参照して説明する。参照する図面は、本発明が採用し得る技術的特徴を説明するために用いられるものである。図面に記載されている装置の構成は、それのみに限定する趣旨ではなく、単なる説明例である。
【００２４】
図１〜図３に示すように、ヘッドマウントディスプレイ（Head Mounted Display、以下、「ＨＭＤ」という。）１は、使用者の頭部に装着可能な光学透過型のＨＭＤである。使用者の眼前の景色の光は、ハーフミラー３５を透過することによって使用者の眼に直接導かれる。ＨＭＤ１の投影形式は、虚像投影型である。ハーフミラー３５は、液晶パネル（図示略）に表示された画像の光を、使用者の片側の眼に向けて反射させる。ＨＭＤ１は、使用者に対して、眼前の景色に画像を重ねて認識させることができる。ＨＭＤ１は、画像表示部３、アーム部４、装着具５、連結機構８，９を備える。画像表示部３、アーム部４および連結機構８，９は、装着具５に取り付け・取り外し可能な画像表示ユニット２を構成する。以下、図の説明の理解を助けるため、ＨＭＤ１の上側、下側、左側、右側、前側、後側を定義する。ＨＭＤ１の上側、下側、左側、右側は、例えば、図１の上側、下側、右側、左側に夫々対応する。ＨＭＤ１の前側、後側は、例えば、図２の下側、上側に夫々対応する。ＨＭＤ１の上側、下側、左側、右側、前側、後側は、夫々、装着具５が使用者に着用された場合における使用者基準の方向に対応する。
【００２５】
装着具５は、樹脂や金属（例えば、ステンレス）などの可撓性を有する材質で構成される。装着具５は、略環状に形成され、後側が開環する細長い板状部材である。本実施形態の装着具５の形状は、左右対称、且つ上下対称な形状である。以下では、便宜上、装着具５の構成を５つの部分に分けて説明する。装着具５は、中前部分５３、右前部分５４、右後部分５５、左前部分５６および左後部分５７を有する。
【００２６】
右前部分５４は、位置１２と位置１６との間で延びる部分である。位置１２は、位置１６よりも前側且つ左側に位置する。右前部分５４は、装着具５によって取り囲まれる領域１０の外側、即ち前側且つ右側へ向けて凸状に湾曲する。右後部分５５は、位置１６と位置１１との間で延びる部分である。位置１１は、位置１６よりも後側且つ左側に位置する。右後部分５５は右前部分５４に連続する。右後部分５５は、領域１０の外側、即ち後側且つ右側へ向けて凸状に湾曲する。言い換えると、右前部分５４と右後部分５５は、装着具５の構成を中前部分５３、右側部分５１および左側部分５２の３つの部分に分けた場合の右側部分５１を構成する。右側部分５１は、中前部分５３の右側に接続し、後側へ向けて延びる。右側部分５１は右側へ向けて凸状に湾曲する。
【００２７】
左前部分５６は、位置１４と位置１７との間で延びる部分である。位置１７は位置１６の左方に位置する。位置１４は位置１２の左方の位置で、位置１７よりも前側且つ右側に位置する。左前部分５６は、領域１０の外側、即ち前側且つ左側へ向けて凸状に湾曲する。左後部分５７は、位置１７と位置１３との間で延びる部分である。位置１３は位置１１の左方の位置で、位置１７よりも後側且つ右側に位置する。左後部分５７は左前部分５６に連続する。左後部分５７は、領域１０の外側、即ち後側且つ左側へ向けて凸状に湾曲する。言い換えると、左前部分５６と左後部分５７は、装着具５の左側部分５２を構成する。左側部分５２は、中前部分５３の左側に接続し、後側へ向けて延びる。左側部分５２は左側へ向けて凸状に湾曲する。
【００２８】
中前部分５３は、位置１４と位置１２との間で左右方向に延びる部分である。中前部分５３は、右前部分５４と左前部分５６との夫々に連続する。中前部分５３は、領域１０の外側、即ち前側へ向けて凸状に湾曲する。左右方向における装着具５の中央の位置２１には、前後方向における装着具５の最も前側の端部である先端部６１が配置される。位置１１，１３には、前後方向における装着具５の最も後側の端部６２，６３が夫々配置される。位置１６には、左右方向における装着具５の最も右側の端部６４が配置される。位置１７には、左右方向における装着具５の最も左側の端部６５が配置される。
【００２９】
装着具５は、装着時に使用者の頭部を挟んで保持する。右後部分５５と左後部分５７とが夫々使用者の側頭部を押圧し、且つＨＭＤ１の重みを支持するのに十分な押圧力を得られるように、装着具５の湾曲形状は部分ごとに異なる。位置１２は、中前部分５３の湾曲形状と、右前部分５４の湾曲形状との境界となる位置である。位置１４は、中前部分５３の湾曲形状と、左前部分５６の湾曲形状との境界となる位置である。また、位置１６には、右前部分５４の湾曲形状と右後部分５５の湾曲形状との境界が位置する。位置１７には、左前部分５６の湾曲形状と左後部分５７の湾曲形状との境界が位置する。
【００３０】
平面視で、装着具５の領域１０内を向く面に接する曲率円の径方向を、装着具５の厚み方向と定義する。装着具５の中前部分５３、右前部分５４および左前部分５６における厚み方向の大きさは、略同じ大きさである。右後部分５５および左後部分５７における厚み方向の大きさは、中前部分５３、右前部分５４および左前部分５６における厚み方向の大きさに対し、夫々、台状突出部６６，６７（後述）の厚み方向の大きさ分大きい。中前部分５３、右前部分５４および左前部分５６における上下方向の大きさは、略同じである。右後部分５５および左後部分５７における上下方向の大きさは、夫々、前側から後側へ向けて徐々に大きくなり、端部６２，６３近傍で最も大きく、端部６２，６３へ向けて徐々に小さくなる。
【００３１】
装着具５の右側部分５１および左側部分５２には、夫々、領域１０内へ突出する台状突出部６６，６７が形成されている。台状突出部６６，６７の突出方向（即ち、厚み方向）に対する側面には、夫々、突出方向に対する周方向に沿って溝状に延びる保持部６８，６９（後述）が形成されている。なお、台状突出部６６，６７の厚み方向に対する側面（以下、単に、「台状突出部６６，６７の側面」とも呼称する。）とは、厚み方向を軸とした周方向に沿って延びる面のことである。台状突出部６６，６７は、夫々、装着具５の前後方向における所定の第一位置と、第一位置よりも後側の第二位置との間で延びる。即ち、保持部６８，６９の前側の端部６８Ａ，６９Ａは、装着具５の第一位置に設けられる。保持部６８，６９の後側の端部６８Ｂ，６９Ｂは、装着具５の第二位置に設けられる。本実施形態において、第一位置は、例えば、装着具５の左右方向両側の端部６４，６５の位置１６，１７である。第一位置は、画像表示ユニット２が取り付けられる取付部５８，５９（後述）の位置１５Ａ，１５Ｂよりも後側に位置する。また、第一位置は、ＨＭＤ１の重心の位置２５（後述）よりも後側に位置する。第二位置は、装着具５の前後方向後側の端部６２，６３の位置１１，１３である。即ち台状突出部６６は、右側部分５１において、位置１６から位置１１までの部位に設けられ、右側部分５１の湾曲形状に沿って延びる。台状突出部６７は、左側部分５２において、位置１７から位置１３までの部位に設けられ、左側部分５２の湾曲形状に沿って延びる。台状突出部６６，６７は、夫々、右後部分５５および左後部分５７の領域１０内を向く内面７０，７１を厚み方向に領域１０内へ向けて段状にせり出す形態で設けられている。故に内面７０，７１は、夫々、右後部分５５および左後部分５７の湾曲形状に沿う曲面状を呈する。従って台状突出部６６，６７の上下方向の大きさも、夫々、前側から後側へ向けて徐々に大きくなり、端部６２，６３近傍で最も大きく、端部６２，６３へ向けて徐々に小さくなる。
【００３２】
保持部６８，６９は、例えば、装着具５に形成された溝である。この溝は、装着具５の湾曲形状に沿って延びる溝底部と、溝底部の幅方向両端から夫々延出し、互いに対向する一対の側壁部とを有する。本実施形態では、保持部６８，６９は、夫々、台状突出部６６，６７に形成されている。保持部６８，６９は、夫々、台状突出部６６，６７の側面に設けられる。即ち、保持部６８，６９は、夫々、台状突出部６６，６７の側面に開口する。保持部６８，６９の溝幅方向は、装着具５の厚み方向に一致する。保持部６８，６９は、夫々、台状突出部６６，６７の周囲を一周して設けられる。
【００３３】
保持部６８は、第一保持部６８１、第二保持部６８２、第三保持部６８３、第四保持部６８４、第一突出部６８５および第二突出部６８６を備える。保持部６９も同様に、第一保持部６９１、第二保持部６９２、第三保持部６９３、第四保持部６９４、第一突出部６９５および第二突出部６９６を備える。第一保持部６８１，６９１（図２参照）は、夫々、保持部６８，６９の部分のうち、台状突出部６６，６７の上側の側面において開口する部分である。第一保持部６８１，６９１は、夫々、端部６４，６５から、右側部分５１、左側部分５２の湾曲形状に合わせて湾曲しながら、端部６２，６３まで延びる。第二保持部６８２，６９２（図１参照）は、夫々、保持部６８，６９の部分のうち、台状突出部６６，６７の下側の側面において開口する部分である。第二保持部６８２，６９２も同様に、夫々、端部６４，６５から、右側部分５１、左側部分５２の湾曲形状に合わせて湾曲しながら、端部６２，６３まで延びる。第三保持部６８３，６９３は、夫々、保持部６８，６９の部分のうち、台状突出部６６，６７の前側の側面において開口する部分である。第三保持部６８３は、右側の端部６４の位置１６において、第一保持部６８１と第二保持部６８２とを接続する。第三保持部６９３は、左側の端部６５の位置１７において、台状突出部６６，６７夫々の上側および下側の側面の一部にも開口し、第一保持部６９１と第二保持部６９２とを接続する。第四保持部６８４，６９４（図２参照）は、夫々、保持部６８，６９の部分のうち、台状突出部６６，６７の後側の側面において開口する部分である。第四保持部６８４は、後側の端部６２の位置１１において、第一保持部６８１と第二保持部６８２とを接続する。第四保持部６９４は、後側の端部６３の位置１３において、台状突出部６６，６７夫々の上側および下側の側面の一部にも開口し、第一保持部６９１と第二保持部６９２とを接続する。
【００３４】
第一突出部６８５，６９５は、夫々、装着具５の後側の端部６２，６３に設けられる。第一突出部６８５，６９５は、夫々、第四保持部６８４，６９４の一対の側壁部のうち、領域１０内側の側壁部に設けられる。または、第一突出部６８５，６９５は、夫々、台状突出部６６，６７の側面の部位で、第四保持部６８４，６９４の開口部付近の部位のうち、領域１０内側の部位に設けられる。なお、台状突出部６６，６７の側面と、保持部６８，６９の一対の側壁部の表面との境目によって囲まれる領域を、溝（即ち、保持部６８，６９）の開口部とする。言い換えると、開口部は、台状突出部６６，６７の側面において、保持部６８，６９が形成された領域、即ち、保持部６８，６９がなかった場合に存在すると考えられる側面の領域を指すものとする。
【００３５】
第一突出部６８５，６９５は、夫々、第四保持部６８４，６９４の溝幅方向の中央へ向けて、溝幅方向に突出する。第一突出部６８５，６９５が突出する長さは、夫々、第四保持部６８４，６９４の溝幅方向の長さの半分以下である。第四保持部６８４，６９４の領域１０内側の端部とは反対側の端部と、第一突出部６８５，６９５の夫々の突出先端部との間隙は、ケーブル３９の外径よりも小さい。第一突出部６８５，６９５は、第四保持部６８４，６９４内に配置されたケーブル３９を押さえ、ケーブル３９を溝内に保持する。
【００３６】
第二突出部６８６は、第一保持部６８１内と第二保持部６８２内に夫々複数ずつ設けられる。第二突出部６９６は、第一保持部６９１内と第二保持部６９２内に夫々複数ずつ設けられる。図２、図４に示すように、第一保持部６９１の第二突出部６９６は、第一保持部６９１の一対の側壁部６９１Ａ，６９１Ｂのうち、溝幅方向において領域１０内側に位置する側（即ち、側壁部６９１Ａ）に、複数設けられる。本実施形態では、第二突出部６９６は、第一保持部６９１に５つ設けられている。５つの第二突出部６９６は、第一保持部６９１の湾曲形状に沿って略等間隔に、側壁部６９１Ａに設けられる。第二突出部６９６は、夫々、側壁部６９１Ｂへ向けて溝幅方向に突出する。第二突出部６９６が第一保持部６９１内に突出する大きさＰは、例えば０．３ｍｍである。第二突出部６９６は、第一保持部６９１の溝底部６９１Ｃから、第一保持部６９１の開口部６９７へ向けて、側壁部６９１Ｂに沿って、第一保持部６９１の深さ方向（上下方向）に延びる。保持部６８，６９の溝幅Ｗは、例えば３．２ｍｍである。ケーブル３９の外径Ｄは、例えば３．２ｍｍである。即ち、第二突出部６９６の先端部６９６Ａと側壁部６９１Ｂとの間隙の大きさは、ケーブル３９の外径Ｄよりも小さい。故に、ケーブル３９を第一保持部６９１内に配置した場合、ケーブル３９は、第二突出部６９６によって側壁部６９１Ｂに押しつけられるので、第一保持部６９１内に保持される。また、第二保持部６９２の第二突出部６９６、第一保持部６８１の第二突出部６８６、および第二保持部６８２の第二突出部６８６の夫々の構成は、上記した第一保持部６９１の第二突出部６９６の構成と略同様であり、説明を省略する。
【００３７】
図１〜図３に示すように、画像表示部３と外部機器（図示略）とを電気的に接続するケーブル３９（図２参照）は、画像表示部３から引き出される。ケーブル３９は、アーム部４および装着具５を伝って配線される。保持部６８，６９は、ケーブル３９の装着具５において配線される部分を溝内に保持する。保持部６８，６９の上下方向の大きさ（即ち、深さ）は、ケーブル３９の外径よりも大きい。保持部６８，６９の深さＨ（図４参照）は、例えば３．３ｍｍである。故に保持部６８，６９に保持された状態のケーブル３９は、保持部６８，６９の開口部から溝外へ露出しない。画像表示部３から引き出されたケーブル３９は、アーム部４を伝い、アーム部４に近い側（例えば左側）の保持部６９内に挿入される。本実施形態では、ケーブル３９は、保持部６９の第一保持部６９１内に保持される。ケーブル３９は、保持部６９の前側の端部６９Ａから第一保持部６９１内に挿入され、溝内を通して配線される。ケーブル３９は、保持部６９の後側の端部６９Ｂへ向けて、第一保持部６９１に案内される。ケーブル３９は、端部６９Ｂから装着具５の外部に引き出される。
【００３８】
装着具５は、装着時に使用者の頭部に当接するパッド７５〜７７を備える。パッド７５〜７７は、例えばシリコン樹脂等、弾性を有する樹脂で構成される。パッド７５は、中前部分５３において領域１０内を向く内面７２で、装着具５の左右方向中央の位置２１を含む部分に設けられる。パッド７５は、中前部分５３の湾曲形状に沿って左右方向に延び、厚み方向に沿って、内面７２から離間する方向（例えば、図２における後方）に突出する。パッド７５の上下方向の大きさは、中前部分５３における装着具５の上下方向の大きさと略同じ、もしくはそれより小さい。ＨＭＤ１の装着時、パッド７５は、使用者の額または前頭部に当接し、頭部において装着具５を位置決めする。
【００３９】
パッド７６，７７は、夫々、装着具５の右後部分５５の内面７０と左後部分５７の内面７１とに設けられる。パッド７６は、右後部分５５の湾曲形状に沿って延び、領域１０内へ向けて厚み方向に沿って突出する。右後部分５５の湾曲する向きに沿う方向においてパッド７６が延びる長さは、右後部分５５の長さよりも短い。パッド７６の上下方向の大きさは、右後部分５５の上下方向の大きさと略同じ、もしくはそれより小さい。また、パッド７６の上下方向の大きさは、中前部分５３、右前部分５４および左前部分５６における上下方向の大きさよりも大きい。本実施形態では、パッド７６は、内面７０において、右後部分５５の湾曲形状に沿う方向の略中央から端部６２にかけての部分に設けられている。パッド７７は、左後部分５７の湾曲形状に沿って延び、領域１０内へ向けて厚み方向に沿って突出する。左後部分５７の湾曲する向きに沿う方向においてパッド７７が延びる長さは、左後部分５７の長さよりも短い。パッド７７の上下方向の大きさは、左後部分５７の上下方向の大きさと略同じ、もしくはそれより小さい。また、パッド７７の上下方向の大きさは、中前部分５３、右前部分５４および左前部分５６における上下方向の大きさよりも大きい。本実施形態では、パッド７７は、内面７１において、左後部分５７の湾曲形状に沿う方向で略中央から端部６３にかけての部分に設けられている。
【００４０】
前述したように、装着具５は可撓性を有する。ＨＭＤ１の装着時、装着具５は、端部６２と端部６３とが領域１０の外側へ向けて（例えば、左右方向に向けて）、使用者の手によって押し広げられて離間される。装着具５が使用者の頭部へ嵌められた場合、パッド７５は、使用者の額または前頭部に当接することで、頭部において装着具５を前後方向に位置決めする。端部６２，６３の押し広げられた状態が解除されると、装着具５の右後部分５５と左後部分５７は、領域１０の内側へ向けて付勢される。パッド７６，７７は、夫々、使用者の右側頭部と左側頭部に当接する。右後部分５５の内面７０は、パッド７６を介し、使用者の右側頭部を押圧する。同様に、左後部分５７の内面７１は、パッド７７を介し、使用者の左側頭部を押圧する。装着具５の右後部分５５と左後部分５７とは、夫々使用者の側頭部を押圧し、且つＨＭＤ１の重みを支持するのに十分な押圧力を得て、使用者の頭部を挟んで保持する。前述したように、上下方向に大きく形成された内面７０，７１は、使用者の側頭部に当接する面積が、中前部分５３の内面７２と比べて大きく確保されている。故に装着具５が使用者の頭部に装着された場合に、パッド７６，７７は、頭部との当接面積が増えることによって、頭部との間でより大きな摩擦力を得る。摩擦面積が確保されたことによって、装着具５は、頭部における位置ずれの発生を抑制できる。また、パッド７６，７７は、使用者の側頭部に当接する面積がパッド７５に比べて大きい。故に、右後部分５５と左後部分５７は、夫々がパッド７６，７７を介して側頭部を押圧する押圧力を分散することができる。即ちＨＭＤ１は、使用者が後部側頭部に受ける単位面積あたりの圧力を低減することができる。従って使用者は、側頭部に圧迫感を受けにくい。
【００４１】
装着具５の前後方向前側の先端部６１と、左右方向両側の端部６４，６５との間の部分には、夫々、取付部５８，５９が設けられる。取付部５８が設けられた位置１５Ａは、位置２１よりも右側で、且つ位置２２よりも前側の位置である。なお、前記したように、位置２２は前後方向における装着具５の中央に位置する。取付部５９が設けられた位置１５Ｂは、位置２１よりも左側で、且つ位置２２よりも前側の位置である。取付部５８，５９は、保持部６８，６９の前側の端部６８Ａ，６９Ａよりも前側に位置する。装着具５は、取付部５８，５９に、装着具５とアーム部４とを連結する連結機構８を取り付けることができる。本実施形態では、連結機構８は取付部５９に取り付けられている。連結機構８については後述する。
【００４２】
取付部５８には、装着具５を厚み方向に貫通する２つの穴部５８Ａが形成されている。（図１参照）取付部５９にも同様に、装着具５を厚み方向に貫通する２つの穴部（図示略）が形成されている。穴部５８Ａにはネジが挿通される。連結機構８は取付部５８，５９にネジ止めによって取り付けられる。即ち、画像表示部３、アーム部４、連結機構８，９を備える画像表示ユニット２は、取付部５８と取付部５９の一方を選択して取り付けることができる。画像表示ユニット２を取付部５８に取り付けた場合、画像表示部３は装着具５の右側に配置される。画像表示部３は画像光を使用者の右眼に入射させることができる。画像表示ユニット２を取付部５９に取り付けた場合、画像表示部３は装着具５の左側に配置される。画像表示部３は画像光を使用者の左眼に入射させることができる。
【００４３】
図５に示されるように、画像表示部３は、筐体３１内に、ハーフミラー３５、レンズユニット３６、画像ユニット３７を備える。筐体３１は、角が湾曲した略直方体状の形状を有する。筐体３１は、所定方向に長く延びる。筐体３１は中空箱状である。筐体３１が延びる方向における一方の端部である先端部３１Ａは開放する。また、筐体３１の他方の端部である基端部３１Ｂには、後方へ向けて突出する突出部３２が形成されている。突出部３２の後端には、前後方向に貫通する穴部（図示略）が形成されている。基端部３１Ｂにおいて、筐体３１の後面で突出部３２よりも右側の位置には、連結機構９の固定部９４が接続される。連結機構９については後述する。
【００４４】
図５に示すように、基端部３１Ｂにおける筐体３１の基端部３１Ｂにおける筐体３１内には、画像ユニット３７が設けられる。画像ユニット３７は、周知の液晶パネル（図示略）と制御基板（図示略）を備える。液晶パネルは、左側面に画像を表示させて画像光を生成する。制御基板は液晶パネルの右側に配置される。制御基板にはケーブル３９が接続される。ケーブル３９は、突出部３２内を通り、突出部３２後端の穴部から画像表示部３の外部に引き出される。制御基板は、ケーブル３９を介して外部機器から送信された画像データを受信する。制御基板は、液晶パネルに制御信号を出力し、画像データに応じた画像を液晶パネルに表示させる。なお、液晶パネルの代わりに、Digital Mirror Device（ＤＭＤ）、有機ＥＬ等の二次元表示装置が用いられてもよい。また、液晶パネルの代わりに、２次元的に走査された光を使用者の網膜上に投影する網膜走査型の投影装置（Retinal Scanning Display）が用いられてもよい。
【００４５】
筐体３１内で、画像ユニット３７の右側には、レンズユニット３６が設けられる。レンズユニット３６は、画像ユニット３７から射出された画像光を通過させ、先端部３１Ａ側へ導く。レンズユニット３６は複数のレンズ（図示略）を備える。レンズユニット３６は、筐体３１に、左右方向へ移動可能に保持される。筐体３１の前面には、円錐台状で側面に複数の凹凸を有する操作部材３８が設けられている。操作部材３８は、溝カム（図示略）によって、レンズユニット３６に係合する。操作部材３８が回動されることによって、レンズユニット３６は先端部３１Ａ側または基端部３１Ｂ側へ向けて移動する。レンズユニット３６が左右方向に移動することによって、画像ユニット３７から出射された画像光の焦点距離が変化する。従って使用者は、操作部材３８を回動させることによってピント調節を行うことができる。
【００４６】
先端部３１Ａには、ハーフミラー３５が設けられる。ハーフミラー３５は矩形板状である。ハーフミラー３５は、反射面に入射した光の一部（例えば５０％）を反射させ、他部を透過させることができる。ハーフミラー３５の反射面は、例えば、透明な樹脂やガラスの基板上に、アルミや銀などの金属を所定の反射率（例えば５０％）となるように蒸着することで形成される。ＨＭＤ１の装着時、筐体３１の基端部３１Ｂは、先端部３１Ａよりも左側に配置される。即ち、画像表示部３は、左右方向に延びて配置された状態で使用される。ハーフミラー３５は、使用者の例えば左眼前方に配置される。ハーフミラー３５は、反射面を左側且つ後側へ向けた状態で、先端部３１Ａに固定される。筐体３１内の画像ユニット３７から出射される画像光は、レンズユニット３６を通過する際に集光される。集光された画像光は、ハーフミラー３５に入射する。ハーフミラー３５は、画像光を後側へ反射し、使用者の左眼に入射させる。使用者は、ハーフミラー３５によって反射された画像光に基づく虚像を視認できる。また、ハーフミラー３５は、前側から入射した外界の光を後側に透過することができる。
【００４７】
図１〜図３、図６、図７に示すように、アーム部４は、樹脂や金属などで構成され、棒状に延びる。アーム部４の上端部４Ａは、連結機構８によって装着具５に連結される。アーム部４の下端部４Ｂは、連結機構９によって画像表示部３に連結される。アーム部４は、装着具５から離隔した位置に画像表示部３を保持する。図１に示されるように、ＨＭＤ１の装着時、アーム部４の下端部４Ｂは、上端部４Ａの下側且つ左側に配置される。アーム部４は、領域１０の外部側へ向けて凸状に湾曲する。本実施形態では、アーム部４は、ＨＭＤ１装着時の左方へ向けて凸状に湾曲する。
【００４８】
図６，図７に示すように、アーム部４は、上端部４Ａに接続部４１を備える。接続部４１はアーム部４が連結機構８に接続する部分である。接続部４１は上端部４Ａにおいて、所定の方向Ｂ（図６参照）に沿って突出する。方向Ｂは、アーム部４が上端部４Ａから下端部４Ｂへ向けて延びる方向Ｃに対して傾斜する方向である。接続部４１には、方向Ｂに沿って延びる穴部（図示略）が形成されている。穴部には、連結機構８のボールスタッド８１（後述）の棒体が挿入される。即ち、ボールスタッド８１の棒体は、方向Ｂに沿って延びる。棒体が接続部４１に固定されることで、アーム部４は連結機構８に接続される。
【００４９】
連結機構８は、二軸以上の回転自由度を有する。本実施形態の連結機構８は、公知のボールジョイント式の可動部である。連結機構８は、ボールスタッド８１、ソケット収容部８２、固定ナット８３、保持部８４を備える。ボールスタッド８１は球体に棒体を接続した部品である。ソケット収容部８２は円筒形状で、内部にボールスタッド８１の球体に球面接触するソケット（図示略）を収容する。固定ナット８３は、ソケット収容部８２の開口部分に外嵌めし、締結することができる蓋体である。固定ナット８３には、ボールスタッド８１の棒体が挿通される挿通穴（図示略）が形成されている。ボールスタッド８１は、ソケットに接触する球体を支点に棒体が挿通穴内で移動できる範囲を可動範囲とする。図６に示されるように、棒体の軸が挿通穴の中心に位置する場合、ボールスタッド８１は可動範囲の中央に位置する。このとき、ボールスタッド８１の棒体の延びる方向、即ち接続部４１の延びる方向Ｂは、後述する方向Ａ（図１参照）に一致する。即ち、ボールスタッド８１の可動範囲は、例えば、方向Ａを中心軸とした、所定の立体角（即ち、円錐面の範囲内）である。固定ナット８３がソケット収容部８２に締結されると、ボールスタッド８１は、球体がソケットに押しつけられて、ソケット収容部８２に対して位置決めされる。
【００５０】
保持部８４は、ソケット収容部８２の固定ナット８３が嵌められる側とは反対側の端部に設けられる。保持部８４は、装着具５の取付部５８，５９に、連結機構８を取り付ける部品である。保持部８４は、上壁８５、内側壁８６、外側壁８７を備える。上壁８５は、取付部５８，５９における装着具５の側面のうち、ＨＭＤ１の頭部装着時に上側を向く上面に当接する部分である。内側壁８６は、取付部５８，５９における装着具５の側面のうち、領域１０内を向く内面に当接する部分である。外側壁８７は、取付部５８，５９における装着具５の側面のうち、領域１０内を向く内面とは反対側の外面に当接する部分である。外側壁８７には、２つの穴部８７Ａ（図７参照）が形成されている。保持部８４が取付部５８，５９に取り付けられるとき、保持部８４は、内側壁８６と外側壁８７の間に取付部５８，５９を挟むように、取付部５８，５９の上側から取付部５８，５９に配置される。取付部５８，５９は、穴部５８Ａと穴部８７Ａに挿通されるネジがナット（図示略）に締結されることによって、取付部５８，５９に固定される。
【００５１】
アーム部４は、下端部４Ｂに接続部４２を備える。接続部４２はアーム部４が連結機構９に接続する部分である。接続部４２は下端部４Ｂにおいて、左右方向に沿って突出する。接続部４２にも穴部（図示略）が形成されている。穴部には、連結機構９のボールスタッド９１（後述）の棒体が挿入される。即ち、ボールスタッド９１の棒体は、方向Ｂに沿って延びる。棒体が接続部４２に固定されることで、アーム部４は連結機構９に接続される。
【００５２】
連結機構９は、二軸以上の回転自由度を有する。図５、図６に示すように、本実施形態の連結機構９は、連結機構８と同様に、公知のボールジョイント式の可動部である。連結機構９は、ボールスタッド９１、ソケット収容部９２、固定ナット９３、固定部９４を備える。ボールスタッド９１、ソケット収容部９２および固定ナット９３の構成は、連結機構８と同様である。ボールスタッド９１の棒体の軸が固定ナット９３の挿通穴（図示略）の中心に位置する場合、ボールスタッド９１は可動範囲の中央に位置する。このとき、ボールスタッド９１の棒体の延びる方向、即ち接続部４２の延びる方向Ｂは、方向Ａ（後述）に一致する。即ち、ボールスタッド９１の可動範囲も、例えば、方向Ａを中心軸とした、所定の立体角（即ち、円錐面の範囲内）である。
【００５３】
固定部９４は、ソケット収容部９２の固定ナット９３が嵌められる側とは反対側の端部（即ち、ソケット収容部９２の右側の端部）に設けられる。固定部９４は、画像表示部３に連結機構９を固定する部品である。固定部９４は、第一固定部９５、第二固定部９６、段状接続部９７を備える。第一固定部９５は、ソケット収容部９２に接続する。第一固定部９５は、突出部３２の後側に位置する。ソケット収容部９２が接続される第一固定部９５の左端は、突出部３２の左端よりも僅かに左側に位置する。第二固定部９６は、第一固定部９５よりも前方且つ右方に位置する。第二固定部９６は、画像表示部３の後面で突出部３２の右側に位置する。第二固定部９６は、画像表示部３に接続する。例えば，第二固定部９６は、前後方向において、ハーフミラー３５よりも後側で、画像表示部３の基端部３１Ｂに接続する。段状接続部９７は、第一固定部９５と第二固定部９６を段状に接続する。段状接続部９７は、第一固定部９５の前側部分から突出部３２の後端を左右方向に横切って延びる。段状接続部９７は、更に、突出部３２の右側で突出部３２に沿って、第二固定部９６の左側部分まで延びる。段状接続部９７が突出部３２後端を横切る部分には、前後方向に貫通する穴部９７Ａが形成されている。穴部には突出部３２後端の穴部９７Ａから引き出されたケーブル３９が挿通されている。
【００５４】
上記構成のＨＭＤ１は、画像表示ユニット２を取付部５８に取り付け、連結機構８，９が夫々可動範囲の中央にあるとき、以下に説明する形態を呈する。図１、図２に示すように、連結機構８は、平面視で、装着具５よりも領域１０の外部側に突出して設けられる。アーム部４の上端部４Ａは、連結機構８よりも領域１０の外部側で連結機構８に接続される。アーム部４の下端部４Ｂは、上端部４Ａの下側に配置される。連結機構９は、画像表示部３の後側で画像表示部３の基端部３１Ｂに接続する。画像表示部３の筐体３１は、左右方向に延びて配置されるので、先端部３１Ａは、基端部３１Ｂの右方に配置される。ハーフミラー３５は、使用者の左眼の眼前に配置される。
【００５５】
図８に示すように、画像表示部３から引き出されたケーブル３９は、アーム部４を伝い、取付部５９において、装着具５の上側を配線される。ケーブル３９は、保持部６９の前側の端部６９Ａにおいて、第一保持部６９１内に配線される。前述したように、端部６９Ａが配置される第一位置は、装着具５の左側の端部６５の位置１７である。故にＨＭＤ１は、ケーブル３９を取付部５９からそのまま後側へ向けて延ばし、第一保持部６９１内に配線することができる。
【００５６】
図２に示すように、端部６９Ａが配置される第一位置は、ケーブル３９を保持部６９に保持していない状態におけるＨＭＤ１の重心の位置２５よりも後側の位置である。また、画像表示ユニット２を取付可能な取付部５８，５９の位置１５Ａ，１５Ｂは、重心の位置２５よりも前側の位置である。ＨＭＤ１の重心の位置２５は、ＨＭＤ１の各部分に働く重力の合力が作用すると考えられる点の位置である。重心の位置２５は、装着具５、アーム部４および画像表示部３の互いの位置関係によって変化する。故に本実施形態では、ケーブル３９を保持部６９に保持せず、且つ連結機構８，９のボールスタッド８１，９１を、夫々、可動範囲の中央に配置した場合におけるＨＭＤ１の重心の位置２５を基準とする。重心の位置２５は、以下のように求められる。例えば装着具５の任意の位置に取り付けた糸でＨＭＤ１を吊し、糸の延長線の方向を記録する。装着具の先とは異なる任意の位置に取り付けた糸でＨＭＤ１を吊し、糸の延長線の方向を記録する。記録した２つの延長線の交点の位置を求め、ＨＭＤ１の重心の位置２５とする。このように求められるＨＭＤ１の重心の位置２５は、図２に示すように、平面視、左右方向中央の位置２１よりも左側、且つ前後方向中央の位置２２よりも前側に位置することが望ましい。
【００５７】
アーム部４が連結される装着具５の位置１５Ｂには、画像表示部３とアーム部４の重みが掛かる。位置１５Ｂは保持部６９よりも前側にあり、ＨＭＤ１には、画像表示部３とアーム部４の重みによって、重心の位置２５よりも前側を下向きに回転させるモーメントが作用する。第一位置が重心の位置２５よりも後側に位置するので、保持部６９にケーブル３９を保持させた場合、ケーブル３９の重みが重心の位置２５よりもＨＭＤ１の後側の部分に掛かるため、ＨＭＤ１の後側を下向きに回転させるモーメントが大きくなる。故に、画像表示部３とアーム部４の重みによってＨＭＤ１に作用するモーメントは、軽減される。従ってＨＭＤ１は重量バランスを改善でき、画像表示部３およびアーム部４が自重で額からずり落ちることを抑制することができる。なお、画像表示ユニット２が位置１５Ａに取り付けられた場合に、ケーブル３９を保持部６８に保持させることによって、画像表示部３とアーム部４の重みによってＨＭＤ１に作用するモーメントを軽減できることは、上記同様である。
【００５８】
なお、第一位置と取付部５９とが離間する長さは、ケーブル３９の物性値によって決定される最小屈曲径以上であることが望ましい。好ましくは、最小屈曲径により近い長さであるとよい。第一位置と取付部５９とが離間する長さが短いほど、ＨＭＤ１の着脱時や使用時にケーブル３９が引っ掛けられにくい。第一位置と取付部５９とが離間する長さは、最小屈曲径より短いと、ケーブル３９に折り曲げの負荷がかかる可能性がある。
【００５９】
図４に示すように、第一保持部６９１内に配線されるケーブル３９の外径Ｄは、第一保持部６９１の深さＨよりも小さい。故に、第一保持部６９１内に配線されるケーブル３９は、第一保持部６９１の開口部６９７から露出しない。また、ケーブル３９の外径Ｄは、第二突出部６９６の先端部６９６Ａと側壁部６９１Ｂとの間隙の大きさより大きい。故に、第一保持部６９１内に配線されるケーブル３９は、第二突出部６９６によって側壁部６９１Ｂに押しつけられる。第一保持部６９１内に設けられた第二突出部６９６は５つであり、第一保持部６９１の湾曲形状に沿って略等間隔に配置されている。即ち、ケーブル３９は、第一保持部６９１の全長に亘って第二突出部６９６に押しつけられるのではなく、部分的に押しつけられる。故に、第一保持部６９１は、ケーブル３９の保持においてケーブル３９に負荷をかけにくい。
【００６０】
台状突出部６７は左側部分５２において領域１０内側に突出して設けられている。ケーブル３９は、第一保持部６９１内に配線される場合、通常、領域１０内に差し入れられた使用者の手によって領域１０内から第一保持部６９１に嵌め込まれる。即ち、ケーブル３９が第一保持部６９１に嵌め込まれるときに、ケーブル３９は、下側且つ領域１０内から外側へ向けて押圧される。第二突出部６９６は、領域１０内側の側壁部６９１Ａに設けられている。故にケーブル３９は、下側且つ領域１０内から外側へ向けて押圧されることによって、容易に第二突出部６９６を乗り越えて、第一保持部６９１内に配線される。第二突出部６９６が側壁部６９１Ｂに設けられている場合、ケーブル３９は、下側且つ領域１０内から外側へ向けて押圧されると、第二突出部６９６に対して押しつけられる。故に、領域１０内に差し入れられた手によってケーブル３９が押圧された場合、第二突出部６９６が側壁部６９１Ｂに設けられていると、ケーブル３９の第一保持部６９１への嵌め込みは難しい。
【００６１】
第二突出部６９６が第一保持部６９１の溝底部６９１Ｃから開口部６９７へ向けて延びる長さＬは、少なくともケーブル３９の半径Ｄ／２以上である。このため、ケーブル３９が溝底部６９１Ｃに当接した状態で、第二突出部６９６は、溝底部６９１Ｃからケーブル３９の半径Ｄ／２以上、開口部６９７側に離れた位置で、ケーブル３９に当接することができる。言い換えると、第二突出部６９６は、ケーブル３９の溝幅方向に最も大きい部分よりも深さ方向において開口部６９７に近い位置で、ケーブル３９に当接した状態を維持することができる。
【００６２】
図８に示すように、ケーブル３９は、第一保持部６９１内で保持された状態で、保持部６９の後側の端部６９Ｂへ向けて配線される。第一保持部６９１は、開口部６９７を装着具５の上側に有するので、ケーブル３９を重力方向に受けることができ、重力によるケーブル３９の脱落を防止できる。ケーブル３９は第一保持部６９１内から第四保持部６９４内に配線される。第四保持部６９４の一方の端部から突出する第一突出部６９５は、ケーブル３９を第四保持部６９４の開口部において押さえ、第四保持部６９４内に保持する。第一突出部６９５がケーブル３９を押さえる位置は、ケーブル３９が第四保持部６９４内から外部に取り出される位置である。第四保持部６９４は台状突出部６７の後側の側面において開口し、第一保持部６９１と接続する。第一突出部６９５は、ケーブル３９を後側から前側へ向けて押さえる。故に、ケーブル３９は、第一保持部６９１内から第四保持部６９４内に配線されるとき、第一突出部６９５に案内されて、第四保持部６９４の形状に沿って装着具５の下方へ向けて延びる向きに屈曲される。このように、ＨＭＤ１は、アーム部４を伝って取付部５９から後側に延びるケーブル３９を前側の端部６９Ａから保持部６９内に配線し、後側の端部６９Ｂから装着具５の下方へ垂らすことができる。ＨＭＤ１は、ケーブル３９を保持部６９内に保持して配線するが固定しないので、ケーブル３９の保持部６９からの取り外しが容易である。
【００６３】
前述したように、保持部６９の第一保持部６９１の構成と、保持部６９の第二保持部６９２の構成は、略同じである。故に、装着具５の上下の向きを反転させた状態で取付部５９に画像表示ユニット２の連結機構８を接続した場合、ＨＭＤ１は、ケーブル３９を第二保持部６９２内に、第一保持部６９１と同様に配線することができる。また、装着具５は、取付部５８，５９を一対に備える。そして、保持部６９の第一保持部６９１の構成と、保持部６８の第一保持部６８１の構成も、略同じである。故に、画像表示ユニット２の連結機構８を取付部５８に接続した場合、ＨＭＤ１は、ケーブル３９を第一保持部６８１内に、第一保持部６９１と同様に配線することができる。更に、保持部６９の第一保持部６９１の構成と、保持部６８の第二保持部６８２の構成も、略同じである。故に、装着具５の上下の向きを反転させた状態で画像表示ユニット２の連結機構８を取付部５８に接続した場合、ＨＭＤ１は、ケーブル３９を第二保持部６８２内に、第一保持部６９１と同様に配線することができる。
【００６４】
以上説明したように、画像表示部３から引き出されたケーブル３９は、第一位置から後頭部側の第二位置まで装着具５の保持部６８，６９に保持される。故に、ケーブル３９と装着具５との間に生じる間隙を低減できる。その結果、ケーブル３９は、ＨＭＤ１の着脱時や使用時に引っ掛けられたり巻き込まれたりしにくく、装着具５から外れにくい。一方で、装着具５から画像表示部３とアーム部４を取り外す場合は、ケーブル３９を溝から引き出すだけで簡単にケーブル３９を装着具５から取り外すことができるので、作業が容易である。
【００６５】
保持部６８，６９が装着具５の後側の端部６２，６３まで延びるので、保持部６８，６９に保持させたケーブル３９は、ＨＭＤ１の着脱時や使用時に引っ掛けられたり巻き込まれたりしにくく、装着具５から外れにくい。
【００６６】
装着具５は、後側の端部６２，６３において、ケーブル３９を第一突出部６８５，６９５で保持部６８，６９内に押さえることができる。故にケーブル３９は装着具５から外れにくい。また、第一突出部６８５，６９５は、ケーブル３９が保持部６８，６９から取り出される位置でケーブル３９を押さえることによって、ＨＭＤ１の装着時に、ケーブル３９の取り出された部分が装着具５の下方へ向かうように案内することができる。
【００６７】
第一位置がアーム部４の取付部５８，５９よりも前側に位置する場合、アーム部４を伝うケーブル３９は、取付部５８，５９から一旦前側へ向けて延び、後側へ折り返して第一位置から保持部６８，６９に保持され、装着具５の後側へ向かう経路で配線される。この場合、ケーブル３９は、折り返し部分において、装着具との間に間隙が生じる可能性がある。この間隙が、使用者の髪や耳等の頭部、およびユーザが眼鏡をしている場合はそのテンプル等に引っ掛かったり巻き込まれたりして、ケーブルが装着具５から外れる可能性がある。第一位置がアーム部４の取付部５８，５９よりも後側に位置すれば、アーム部４を伝うケーブル３９は、取付部５８，５９から後側へ延び、そのまま第一位置から保持部６８，６９に保持され、装着具５の後側へ向かう経路で配線される。故に、ケーブル３９が装着具５から外れる可能性を低減することができる。
【００６８】
アーム部４が連結される装着具５の位置１５Ｂには、画像表示部３とアーム部４の重みが掛かる。位置１５Ｂは保持部６９よりも前側にあり、ＨＭＤ１には、画像表示部３とアーム部４の重みによって、重心の位置２５よりも前側を下向きに回転させるモーメントが作用する。保持部６９にケーブル３９を保持させた場合、ケーブル３９の重みが重心の位置２５よりもＨＭＤ１の後側の部分に掛かるため、ＨＭＤ１の後側を下向きに回転させるモーメントが大きくなる。故に、画像表示部３とアーム部４の重みによってＨＭＤ１に作用するモーメントは、軽減される。従ってＨＭＤ１は重量バランスを改善でき、画像表示部３およびアーム部４が自重で額からずり落ちることを抑制することができる。
【００６９】
保持部６８，６９が開環状の装着具５の環内側に形成されているので、保持部６８，６９に保持されるケーブル３９は、装着具５の外側から引っ掛けられにくく、装着具５から外れにくい。
【００７０】
保持部６８，６９は、装着具５の右側部分５１と左側部分５２に夫々設けられている。アーム部４の連結先を装着具５の左右方向において、例えば、左側の取付部５９から右側の取付部５８に変更した場合に、変更後の取付部５８に近い保持部６８にケーブル３９を保持させることができる。
【００７１】
保持部６８，６９は、装着具５が使用される向きにおいて、上側に開口部を有する。故に、ＨＭＤ１は、ケーブル３９が重力によって保持部６８，６９から外れてしまうことを防止することができる。
【００７２】
ＨＭＤ１は、アーム部４を第三方向に反転させることができる。装着具５を上下に反転して装着すれば、ＨＭＤ１は、画像表示部３を左眼側から右眼側に配置替えさせることができる。保持部６８，６９は、夫々、第一保持部６８１，６９１と第二保持部６８２，６９２を有する。装着具５が上下方向において反転して使用されても、ＨＭＤ１は、例えば第一保持部６８１，６９１から第二保持部６８２，６９２にケーブル３９の保持を変更させれば、ケーブル３９が重力によって保持部６８，６９から外れてしまうことを防止することができる。
【００７３】
ケーブル３９は、保持部６８，６９に保持された状態で保持部６８，６９から露出しないので、ＨＭＤ１の着脱時や使用時に引っ掛けられたり巻き込まれたりしにくく、装着具５から外れにくい。
【００７４】
第二突出部６８６，６９６は、ケーブル３９を保持部６８，６９内で押さえることができる。故にケーブル３９は装着具５から外れにくい。
【００７５】
第二突出部６８６，６９６が保持部６８，６９の開口部近くに設けられ、ケーブル３９が第二突出部６８６，６９６に接触しない場合がある。この場合、ケーブル３９は、振動等によって保持部６８，６９内で動くたびに第二突出部６８６，６９６に当接し、被覆部が摩耗する可能性がある。本実施形態では、第二突出部６８６，６９６は、溝底部にケーブル３９が当接した状態でケーブル３９に当接した状態を維持できる。故にＨＭＤ１は、ケーブル３９の摩耗を防止し、且つケーブル３９が保持部６８，６９から外れることを防止することができる。
【００７６】
ケーブル３９の保持部６８，６９内に保持されない部分が、装着具５と頭部との間に配置される場合がある。装着具５は、少なくとも一部が湾曲することによって、頭部の湾曲形状に沿い、装着具５と頭部との間隙を小さくできる。故にケーブル３９は、装着具５と頭部との間隙内で、使用時に引っ掛けられたり巻き込まれたりしにくく、装着具５から外れにくい。
【００７７】
なお、本発明は上記実施形態に限定されず、種々の変更が可能である。保持部６８，６９を有する台状突出部６６，６７は、なくてもよい。パッド７５〜７７は、夫々、複数あって、装着具５の湾曲する向きに沿う方向において断続的に配置されてもよい。ハーフミラー３５の代わりに、外界の光を透過せず、入射した画像光を実質的に全反射する反射部材が用いられてもよい。ハーフミラー３５の代わりに、プリズム、回折格子等の光路偏向部材が用いられてもよい。連結機構８，９は、ボールジョイント式の可動部でなくてもよい。例えば、２つ以上のヒンジを組み合わせるなどして、夫々、二軸以上の回転自由度を有する可動部であればよい。装着具５は、全体が湾曲する構成でなくてもよい。装着具５の湾曲する部分は装着具５の一部であってもよい。
【００７８】
台状突出部６６，６７は、夫々、右側部分５１、左側部分５２において、湾曲形状に沿って連続して設けられてもよいし、断続的に設けられてもよい。保持部６８，６９も、同様に、右側部分５１、左側部分５２において、湾曲形状に沿って連続して設けられてもよいし、断続的に設けられてもよい。第一突出部６８５，６９５は、夫々、複数あってもよい。この場合に複数の第一突出部６８５，６９５は、夫々、第四保持部６８４，６９４の一対の側壁部の両方に設けられてもよい。あるいは、第一突出部６８５，６９５は、夫々、台状突出部６６，６７の側面の部位で、第四保持部６８４，６９４の開口部を溝幅方向に挟む両側の部位に設けられてもよい。第二突出部６８６，６９６が、第一保持部６８１，６９１、第二保持部６８２，６９２の夫々において形成された数は、５つでなくともよく、１つだけ設けられてもよいし、２以上の複数設けられてもよい。第二突出部６８６，６９６は、第一保持部６８１，６９１、第二保持部６８２，６９２の夫々において、一対の側壁部の一方に設けられてもよいし、他方に設けられてもよい。あるいは、両方の側壁部に設けられてもよい。
【００７９】
上記実施形態において、前後方向は、本発明の「第一方向」に相当する。左右方向は、本発明の「第二方向」に相当する。上下方向は、本発明の「第三方向」に相当する。位置１１，１３は、本発明の「第二位置」に相当する。位置１５Ａ，１５Ｂは、本発明の「接続位置」に相当する。位置１６，１７は、本発明の「第一位置」に相当する。位置２１は、本発明の「第二方向における中央の位置」に相当する。位置２５は、本発明の「重心の位置」に相当する。右側部分５１は、本発明の「第一部分」に相当する。左側部分５２は、本発明の「第二部分」に相当する。中前部分５３は、本発明の「第三部分」に相当する。
【００８０】
画像表示部３は、本発明の「画像表示装置」に相当する。上端部４Ａは、本発明の「一端部」に相当する。下端部４Ｂは、本発明の「他端部」に相当する。連結機構８は、本発明の「第一連結機構」に相当する。取付部５８，５９は、本発明の「連結部」に相当する。第一保持部６８１，６９１は、本発明の「第一保持部」に相当する。第二保持部６８２，６９２は、本発明の「第二保持部」に相当する。
【符号の説明】
【００８１】
１                          ＨＭＤ
３                          画像表示部
４                          アーム部
４Ａ                        上端部
４Ｂ                        下端部
５                          装着具
８                          連結機構
１０                        領域
１１，１３，１５Ａ，１５Ｂ，
１６，１７，２１，２５      位置
３９                        ケーブル
５１                        右側部分
５２                        左側部分
５３                        中前部分
５８，５９                  取付部
６２，６３                  端部
６８，６９                  保持部
６８１，６９１              第一保持部
６８２，６９２              第二保持部
６８５，６９５              第一突出部
６８６，６９６              第二突出部
６９１Ａ，６９１Ｂ          側壁部
６９１Ｃ                    溝底部
６９６Ａ                    先端部
６９７                      開口部
【図１】
0006277916.tif 000002
【図２】
0006277916.tif 000003
【図３】
0006277916.tif 000004
【図４】
0006277916.tif 000005
【図５】
0006277916.tif 000006
【図６】
0006277916.tif 000007
【図７】
0006277916.tif 000008
【図８】
0006277916.tif 000009